(57)【要約】【課題】主に自動車内の各種電子機器の操作に用いられる複合操作スイッチに関し、製作が容易で、確実な操作が可能なものを提供することを目的とする。【解決手段】配線基板１４上面の固定接点５及びスイッチ６外周に、これらを囲む枠部１５と１６を形成することによって、スイッチ６を配線基板１４に半田付けする際の、フラックス９のスイッチ６からの流出と固定接点５への流入を枠部１５と１６によって防ぎ、固定接点５上面へのフラックス９の付着を防止できるため、手間がかからず容易に製作が行えると共に、可動接片７と固定接点５の接触も確実な、複合操作スイッチを得ることができる。【選択図】図１
2011150871.tif 000002
【特許請求の範囲】
【請求項１】
ケースに回転可能に装着された操作体と、この操作体内に上下動可能に装着された押釦と、上記操作体に装着された可動接片が弾接する固定接点、及び上記押釦に押圧されるスイッチが上面に設けられた配線基板からなり、上記配線基板上面の上記固定接点及びスイッチ外周に、これらを囲む枠部を形成した複合操作スイッチ。
【請求項２】
枠部内に溝部または孔部を設けた請求項１記載の複合操作スイッチ。
【発明の詳細な説明】
【技術分野】
【０００１】
本発明は、主に自動車内の各種電子機器の操作に用いられる複合操作スイッチに関するものである。
【背景技術】
【０００２】
近年、車室内のフロントパネル部やステアリングホイール近傍に様々なスイッチを装着し、これによって車室内のオーディオやエアコン等の各種電子機器の操作を行うものが増えており、確実な操作を行えるものが求められている。
【０００３】
このような従来の複合操作スイッチについて、図５〜図７を用いて説明する。
【０００４】
図５は従来の複合操作スイッチの断面図、図６は同分解斜視図であり、同図において、１は絶縁樹脂製のケース、２は略円筒状で絶縁樹脂製の操作体で、操作体２がケース１内に回転可能に収納装着されると共に、ケース１上面の開口部から操作体２上部が突出している。
【０００５】
そして、３は絶縁樹脂製の押釦で、複数の押釦３が操作体２内に上下動可能に装着されると共に、これらの上部が操作体２上面よりやや低い位置に突出している。
【０００６】
また、４は上下面に複数の配線パターン（図示せず）が形成された配線基板で、この上面には略円弧状でカーボン等の複数の固定接点５が形成されると共に、上方へ突出した軸部６Ａに押釦３下面が当接した、複数のプッシュ式のスイッチ６が実装装着されている。
【０００７】
さらに、７は導電金属薄板製の可動接片で、可動接片７の一端が操作体２下面に固着され、やや撓んだ状態で他端が固定接点５に弾接すると共に、配線基板４上面をケース１が覆って、複合操作スイッチが構成されている。
【０００８】
そして、このように構成された複合操作スイッチが、操作体２や押釦３を前方に突出させて、車室内のフロントパネル部に装着されると共に、複数の固定接点５やスイッチ６が配線基板４の配線パターンや、コネクタやリード線（図示せず）等を介して、自動車の電子回路（図示せず）に電気的に接続される。
【０００９】
以上の構成において、操作体２を指で回転操作すると、この下面の可動接片７が配線基板４や固定接点５上面を弾接摺動し、可動接片７を介して複数の固定接点５の電気的接離が行われ、この電気信号が車両の電子回路へ出力されて、例えば、オーディオの音量やエアコンの温度の増減等の操作が行なわれる。
【００１０】
また、操作体２中央の複数の押釦３を指で押圧操作すると、押釦３下面が軸部６Ａを押圧して、スイッチ６の電気的接離が行われ、これを電子回路が検出して、例えば、オーディオのモードやエアコンの風量等の切換えが行なわれる。
【００１１】
つまり、車室内の手元に装着された、複合操作スイッチの操作体２を回転操作、あるいは複数の押釦３を押圧操作することによって、車両内の様々な機器の操作が容易に行えるように構成されている。
【００１２】
なお、このような複合操作スイッチを製作する際、複数のスイッチ６はランド等に半田付けされて、配線基板４上面に実装装着されるが、通常、半田にはフラックスが含まれているため、図７の部分平面図に示すように、半田付け時にこの溶融したフラックス９がスイッチ６から配線基板４上面を流れ、固定接点５上面に付着してしまう場合がある。
【００１３】
そして、このようにフラックス９が固定接点５上面に付着し凝固した場合、可動接片７の固定接点５への接触が不安定なものとなり、複数の固定接点５の確実な電気的接離が行えなくなってしまう。
【００１４】
このため、フラックス９が固定接点５上面に付着した場合には、これを洗浄液等で拭き取るか、あるいは、予め固定接点５上面を樹脂等で覆った状態で、スイッチ６を半田付けし、半田付け後にこの樹脂を剥がす作業が必要となるものであった。
【００１５】
なお、この出願の発明に関連する先行技術文献情報としては、例えば、特許文献１が知られている。
【先行技術文献】
【特許文献】
【００１６】
【特許文献１】特開２００８−１８６７５５号公報
【発明の概要】
【発明が解決しようとする課題】
【００１７】
しかしながら、上記従来の複合操作スイッチにおいては、複数のスイッチ６を配線基板４に半田付けする際、フラックス９が固定接点５上面に付着する場合があるため、これを拭き取るか、あるいは、固定接点５上面を樹脂等で覆い、半田付け後にこれを剥がす作業が必要となり、製作に手間がかかってしまうという課題があった。
【００１８】
本発明は、このような従来の課題を解決するものであり、製作が容易で、確実な操作が可能な複合操作スイッチを提供することを目的とする。
【課題を解決するための手段】
【００１９】
上記目的を達成するために本発明は、以下の構成を有するものである。
【００２０】
本発明の請求項１に記載の発明は、配線基板上面の固定接点及びスイッチ外周に、これらを囲む枠部を形成して複合操作スイッチを構成したものであり、スイッチを配線基板に半田付けする際の、フラックスのスイッチからの流出と固定接点への流入を枠部によって防ぎ、固定接点上面へのフラックスの付着を防止できるため、手間がかからず容易に製作が行えると共に、可動接片と固定接点の接触も確実な、複合操作スイッチを得ることができるという作用を有する。
【００２１】
請求項２に記載の発明は、請求項１記載の発明において、枠部内に溝部または孔部を設けたものであり、枠部内の溝部や孔部によって、固定接点上面へのフラックスの付着をより確実に防ぐことができるため、さらに確実な操作を行うことが可能となるという作用を有する。
【発明の効果】
【００２２】
以上のように本発明によれば、製作が容易で、確実な操作が可能な複合操作スイッチを実現することができるという有利な効果が得られる。
【図面の簡単な説明】
【００２３】
【図１】本発明の一実施の形態による複合操作スイッチの断面図
【図２】同分解斜視図
【図３】同部分断面図
【図４】同部分平面図
【図５】従来の複合操作スイッチの断面図
【図６】同分解斜視図
【図７】同部分平面図
【発明を実施するための形態】
【００２４】
以下、本発明の実施の形態について、図１〜図４を用いて説明する。
【００２５】
なお、背景技術の項で説明した構成と同一構成の部分には同一符号を付して、詳細な説明を簡略化する。
【００２６】
（実施の形態）
図１は本発明の一実施の形態による複合操作スイッチの断面図、図２は同分解斜視図であり、同図において、１はＡＢＳ等の絶縁樹脂製のケース、２は略円筒状で同じく絶縁樹脂製の操作体で、操作体２がケース１内に回転可能に収納装着されると共に、ケース１上面の開口部から操作体２上部が突出している。
【００２７】
そして、３はポリカーボネート等の絶縁樹脂製の押釦で、複数の押釦３が操作体２内に上下動可能に装着されると共に、これらの上部が操作体２上面よりやや低い位置に突出している。
【００２８】
また、１４は紙フェノールやガラス入りエポキシ等の配線基板で、上下面には銅箔等によって複数の配線パターン（図示せず）が形成されると共に、この上面には略円弧状でカーボン等の複数の固定接点５が設けられている。
【００２９】
さらに、６はプッシュ式のスイッチで、複数のスイッチ６が配線基板１４上面に実装装着されると共に、スイッチ６から上方へ突出した軸部６Ａには押釦３下面が当接している。
【００３０】
そして、図３の部分断面図や図４の部分平面図に示すように、この配線基板１４上面の固定接点５外周とスイッチ６外周には、これらを囲むようにエポキシやポリエステル等の、高さ１０〜１５μｍ前後で幅０．２〜０．３ｍｍ前後の枠部１５と１６が形成されると共に、この枠部１５と１６内には溝部１７と孔部１８が設けられている。
【００３１】
また、７は導電金属薄板製の可動接片で、可動接片７の一端が操作体２下面に固着され、やや撓んだ状態で他端が固定接点５に弾接すると共に、配線基板１４上面をケース１が覆って、複合操作スイッチが構成されている。
【００３２】
なお、このような複合操作スイッチを製作する際、複数のスイッチ６はランド等に半田付けされて、配線基板１４上面に実装装着されるが、通常、半田にはフラックスが含まれているため、図４に示すように、半田付け時にこの溶融したフラックス９が配線基板１４上面を流れてしまう場合がある。
【００３３】
しかし、本発明においては、スイッチ６外周には枠部１６が形成されると共に、この枠部１６内には孔部１８が設けられているため、フラックス９は先ず孔部１８から配線基板１４下面に流出し、次に枠部１６でせき止められるようになっている。
【００３４】
そして、もしフラックス９の量が多く、枠部１６から外方へ流出した場合でも、固定接点５外周にも枠部１５が設けられているため、この枠部１５によってフラックス９はせき止められ、固定接点５にまでは流れ込まないように形成されている。
【００３５】
さらに、枠部１５内のスイッチ６側には溝部１７が形成されているため、フラックス９が万が一、枠部１５内に流入した場合でも、この溝部１７によって、フラックス９の固定接点５上面への付着を防ぐようになっている。
【００３６】
つまり、固定接点５外周とスイッチ６外周に枠部１５と１６を設けると共に、この枠部１５と１６内に溝部１７と孔部１８を形成することによって、スイッチ６を配線基板１４に半田付けする際に、フラックス９が流れ出た場合でも、これが固定接点５上面へ付着することを防止できるように構成されている。
【００３７】
したがって、製作時にフラックス９を洗浄液等で拭き取る手間や、あるいは、固定接点５上面を樹脂等で覆い、半田付け後にこれを剥がす作業等は不要となり、容易に製作を行うことが可能なようになっている。
【００３８】
そして、このように構成された複合操作スイッチが、操作体２や押釦３を前方に突出させて、車室内のフロントパネル部に装着されると共に、複数の固定接点５やスイッチ６が配線基板１４の配線パターンや、コネクタやリード線（図示せず）等を介して、自動車の電子回路（図示せず）に電気的に接続される。
【００３９】
以上の構成において、操作体２を指で回転操作すると、この下面の可動接片７が配線基板１４や固定接点５上面を弾接摺動し、可動接片７を介して複数の固定接点５の電気的接離が行われ、この電気信号が車両の電子回路へ出力されて、例えば、オーディオの音量やエアコンの温度の増減等の操作が行なわれる。
【００４０】
また、操作体２中央の複数の押釦３を指で押圧操作すると、押釦３下面が軸部６Ａを押圧して、スイッチ６の電気的接離が行われ、これを電子回路が検出して、例えば、オーディオのモードやエアコンの風量等の切換えが行なわれる。
【００４１】
つまり、車室内の手元に装着された、複合操作スイッチの操作体２を回転操作、あるいは複数の押釦３を押圧操作することによって、車両内の様々な機器の操作が容易に行えるように構成されている。
【００４２】
そして、この時、上記のように固定接点５外周とスイッチ６外周には枠部１５と１６が、この枠部１５と１６内には溝部１７と孔部１８が各々形成され、スイッチ６を配線基板１４に半田付けする際に、固定接点５上面へフラックス９が付着することを防ぐことができるため、可動接片７の固定接点５への安定した接触が得られ、複数の固定接点５の確実な電気的接離を行うことが可能なようになっている。
【００４３】
なお、以上の説明では、枠部１５内に溝部１７を、枠部１６内に孔部１８を各々設けた構成について説明したが、これとは逆に枠部１５内に孔部１８を、枠部１６内に溝部１７を設けた構成や、あるいは、配線基板１４下面にフラックス９が流出しては不都合が生じる場合には、枠部１５と１６内の両方に溝部１７を設けた構成としても、本発明の実施は可能である。
【００４４】
このように本実施の形態によれば、配線基板１４上面の固定接点５及びスイッチ６外周に、これらを囲む枠部１５と１６を形成することによって、スイッチ６を配線基板１４に半田付けする際の、フラックス９のスイッチ６からの流出と固定接点５への流入を枠部１５と１６によって防ぎ、固定接点５上面へのフラックス９の付着を防止できるため、手間がかからず容易に製作が行えると共に、可動接片７と固定接点５の接触も確実な、複合操作スイッチを得ることができるものである。
【００４５】
また、枠部１５と１６内に溝部１７または孔部１８を設けることによって、固定接点５上面へのフラックス９の付着をより確実に防ぐことができるため、さらに確実な操作を行うことが可能な複合操作スイッチとすることができる。
【産業上の利用可能性】
【００４６】
本発明による複合操作スイッチは、製作が容易で、確実な操作が可能なものを実現でき、主に自動車の各種電子機器の操作用として有用である。
【符号の説明】
【００４７】
１  ケース
２  操作体
３  押釦
５  固定接点
６  スイッチ
６Ａ  軸部
７  可動接片
９  フラックス
１４  配線基板
１５、１６  枠部
１７  溝部
１８  孔部
【図１】
2011150871.tif 000003
【図２】
2011150871.tif 000004
【図３】
2011150871.tif 000005
【図４】
2011150871.tif 000006
【図５】
2011150871.tif 000007
【図６】
2011150871.tif 000008
【図７】
2011150871.tif 000009